(57)【特許請求の範囲】
【請求項１】
ロール状に巻回されたテープが装着されるリール（２０，１２０）と、
前記リール（２０，１２０）が取り付けられる軸部材（４０，１２１）と、
平面状の正面部（１１，１１１）の一側に側面部（１２）を設けて断面略Ｌ字状に形成されると共に、該正面部（１１，１１１）の裏面に前記軸部材（４０，１２１）の一端を取り付けるための一端取付部（１３ａ，１３ｂ，１１３ａ，１１３ｂ）が設けられたホルダ部材（１０，１１０）と、
前記軸部材（４０，１２１）の他端を取り付けるための他端取付部（３２，１３２）に脚部（３１，１３１）を連続させて構成された他端取付部材（３０，１３０）と、
を有する卓上型のテープカッター（１，１０１）であって、
前記側面部の上下に、切断刃を脱着できるように構成された切断部（１４ａ，１４ｂ，１１４ａ，１１４ｂ）を設けると共に、
前記一端取付部（１３ａ，１３ｂ，１１３ａ，１１３ｂ）を、上方に設けられた前記切断部（１４ａ，１１４ａ）を使用する際に前記軸部材（４０，１２１）を支持するための第１の取付部（１３ａ，１１３ａ）と、下方に設けられた前記切断部（１４ｂ，１１４ｂ）を使用する際に前記軸部材（４０，１２１）を支持するための第２の取付部（１３ｂ，１１３ｂ）と、によって構成したことを特徴とするテープカッター。
【請求項２】
前記リール（２０）は、軸部材（４０）に対して回転可能に取り付けられており、
前記軸部材（４０）の前記他端に、前記リール（２０）の抜け止めを可能とするフランジ部（４３）を設け、該フランジ部（４３）に設けられた切欠部（４１）を介して前記他端取付部（３２）に嵌合させると共に、
前記第１及び第２の取付部（１３ａ，１３ｂ）に、円弧状の摺動路（６０ａ、６０ｂ）を形成し、該摺動路（６０ａ、６０ｂ）を移動可能な突起部（４５）を前記軸部材（４０）の一端嵌合部（４２）に設けたことを特徴とする請求項１に記載のテープカッター。
【請求項３】
前記他端取付部材（３０）の前記脚部（３１）に、前記第１の取付部（１３ａ）に前記軸部材（４０）が取り付けられた際に、前記第２の取付部（１３ｂ）に嵌合する嵌合部（３３）を設け、
該嵌合部（３３）に、前記第２及び第１の取付部（１３ｂ，１３ａ）の前記摺動路（６０ｂ、６０ａ）を移動可能な脚部突起部（３５）を設け、該脚部突起部（３５）が前記摺動路（６０ｂ、６０ａ）を移動することによって前記他端取付部材（３０）が回転し、前記他端取付部（３２）と前記軸部材（４０）のフランジ部（４３）に設けられた切欠部（４１）との嵌合が外れるように構成したことを特徴とする請求項２に記載のテープカッター。
【発明の詳細な説明】
【技術分野】
【０００１】
本発明は、ロール状に巻回されたテープを回転可能に支持すると共に、繰り出されたテープを所望の長さに切断する卓上型のテープカッターであって、特に、意匠性に優れたテープカッターに関する。
【背景技術】
【０００２】
卓上型のテープカッターは、基台上に、ロール状に巻回されたテープを回転可能に支持するテープ支持部と、繰り出されたテープを所望の長さに切断する切断部を突出させた構造であり、テープ支持部と切断部との間の空間部に手を差し込んでテープを摘み、所望の長さにテープを引き出した後に切断するようになっている（特許文献１）。
しかし、店舗や事務所の備品として卓上に設置されるテープカッターにおいては、インテリアの一部としての意匠性が要求される傾向にあり、使用者等によって視認される正面部をデザイン的な平面で構成しようとする要請が高い。
【０００３】
特に、接着テープ用のテープカッターの場合は、テープ支持部と切断部との間の空間部に露呈されるテープの接着面に埃が付着したり、乾燥したりして接着性が低下することを防止するために、テープ支持部と切断部とを同一平面内に構成したり（特許文献２）、切断部をホルダ内に収容することによって（特許文献３）、テープ支持部と切断部との間に空間が生じないようにしたものも提案されている。
【特許文献１】特開平７−９７１２０号公報
【特許文献２】特開２００７−２２８０２号公報
【特許文献３】特開平１０−４４０８８号公報
【発明の開示】
【発明が解決しようとする課題】
【０００４】
しかしながら、特許文献２に開示のテープカッターは、テープ支持部と切断部が同一平面上に形成されており、テープを繰り出すために手を差し込む空間が存在しないので、テープの先端部に摘み部が形成されるような機構を設ける必要がある。
また、特許文献３に開示のテープカッターは、収納状態の切断部をホルダ本体から引き出すことができるよう、切断部をホルダ本体に回動可能又はスライド可能に取り付ける必要があるので、構造が複雑化する。また、使用に際して、切断部をホルダ本体から引き出す操作と、テープを摘んで繰り出して切断するという操作が必要となるので、作業の効率性を低下させる。
【０００５】
そこで、本発明は、簡単な構造でありながら、テープ支持部と切断部との間の空間部を排除することで意匠性を向上させることができるテープカッターの提供を目的とする。
【課題を解決するための手段】
【０００６】
上記課題を解決するために、ロール状に巻回されたテープが装着されるリールと、前記リールが取り付けられる軸部材と、平面状の正面部の一側に側面部を設けて断面略Ｌ字状に形成されると共に該正面部の裏面に前記軸部材の一端を取り付けるための一端取付部が設けられたホルダ部材と、前記軸部材の他端を取り付けるための他端取付部に脚部を連続させて構成された他端取付部材と、を有する卓上型のテープカッターであって、前記側面部の上下に、切断刃を脱着できるように構成された切断部を設けると共に、前記一端取付部を、上方に設けられた前記切断部を使用する際に前記軸部材を支持するための第１の取付部と、下方に設けられた前記切断部を使用する際に前記軸部材を支持するための第２の取付部と、によって構成したことを特徴とするものである。
【０００９】
この場合、前記リールは、軸部材に対して回転可能に取り付けられており、前記軸部材の前記他端に、前記リールの抜け止めを可能とするフランジ部を設け、該フランジ部に設けられた切欠部を介して前記他端取付部に嵌合させると共に、前記第１及び第２の取付部に、円弧状の摺動路を形成し、該摺動路を移動可能な突起部を前記軸部材の一端嵌合部に設けてもよい。
この場合、前記他端取付部材の前記脚部に、前記軸部材が取り付けられた際に、前記第２の取付部に嵌合する嵌合部を設け、該嵌合部に、前記第２及び第１の取付部の前記摺動路を移動可能な脚部突起部を設け、該脚部突起部が前記摺動路を移動することによって前記他端取付部材が回転し、前記他端取付部と前記軸部材のフランジ部に設けられた切欠部との嵌合が外れるように構成してもよい。
【発明の効果】
【００１１】
請求項１に係るテープカッターは、ロール状に巻回されたテープが装着されるリールと、そのリールが回転可能に取り付けられる軸部材と、正面部に前記軸部材の一端が取り付けられる一端取付部を有するホルダ部材と、他端が取り付けられる他端取付部材とによって構成したため、正面視において、一端取付部と切断刃との間に空間部が生じないので、卓上に設置した際の意匠性が高い上に、埃等がテープ面に付着し難くなる。
一方、ホルダ部材の背面側には、一端取付部と切断刃との間に空間が存在し、その空間部から手を差し入れて、リールに装着されたテープを引き出すことができるので、テープカッターとしての機能が損なわれることがない。
【００１２】
この際、ホルダ部材の一側の上端部と下端部との双方に切断部が設けられているので、ホルダ部材を上下方向に反転させることによって、切断部を右側に位置させることも、左側に位置させることも可能となり、使用者の利き手の相違に柔軟に対応させることができる。
これによって、テープカッターとしての機能が損なわれることなく、簡単な構造でありながら、意匠性を向上させることができる。
【００１３】
また、軸部材の一端を、ホルダ部材の一端取付部に取り付け可能に構成したので、軸部材の一端部を、ホルダ部材の一端取付部から取り外すことによって、リールに装着されたテープの交換が容易にできる。
【００１４】
なお、このリールに装着されるテープは、帯状のものであっても、線状のものであってもよい。また、粘着性を有するものであってもよい。
【００１５】
特に、ホルダ部材の一端取付部は、上方に設けられた切断部を使用する際に軸部材が支持される第１の取付部と、下方に設けられた切断部を使用する際に軸部材が支持される第２の取付部とからなるので、左右の何れの方向でテープを切断する場合でも、最適な高さにリールを位置させることができる。
【００１７】
請求項２に係る発明は、軸部材に、ホルダ部材の一端取付部に嵌合可能な一端嵌合部を設けると共に、他端にリールの抜け止めを可能とするフランジ部を設け、そのフランジ部に、他端取付部材と嵌合可能な切欠部を設けたので、下方の切断部を使用するためにホルダ部材を上下反転させる際に、他端取付部材の取り外しが容易にできる。
また、ホルダ部材の一端取付部には、円弧状の摺動路が形成されており、その摺動路を移動可能な突起部を軸部材の一端嵌合部に設けたので、軸部材を回動することによって、突起部が摺動路を移動し、軸部材と一端取付部との嵌合状態が解除される。
これによって、軸部材をホルダ部材から容易に取り外すことができ、テープの付け替えが容易にできる。
【００１８】
請求項３に係る発明は、他端取付部材の脚部に、軸部材が取り付けられた際にホルダ部材の取付部に嵌合する嵌合部を設けたので、他端取付部材とホルダ部材とをしっかりと組み付けることができる。特に、その嵌合部に、ホルダ部材の一端取付部の摺動路を移動可能な脚部突起部を設けたので、他端取付部材を回動することによって、脚部突起部が摺動路を移動し、他端取付部材とホルダ部材との嵌合状態が解除される。
これによって、他端取付部材をホルダ部材から容易に取り外すことができるので、ホルダ部材を上下反転させた状態でテープカッターを使用する際に効率的である。
【００１９】
また、他端取付部材の脚部突起部が摺動路を移動することによって他端取付部材が回転し、嵌合部と軸部材の切欠部との嵌合が外れるので、他端取付部材の脚部等を押して回転させることによって、他端取付部材を軸部材から取り外すことができる。
これによって、ホルダ部材を上下反転させた状態でテープカッターを使用する際に、他端取付部材をホルダ部材から取り外す操作と、他端取付部材を軸部材から取り外す操作とを円滑なものとすることができる。
【発明を実施するための最良の形態】
【００２１】
本発明の好適な実施形態を、添付図面に基づいて説明する。なお、実施形態は以下の形態に限定されるものではなく、本発明の課題を解決し得るものであれば、他の態様も可能である。
【００２２】
図１は、本発明の第１実施形態に係るテープカッター１を示す斜視図である。このテープカッター１は、ロール状に巻回された接着テープを回転可能に支持すると共に、繰り出された接着テープを所望の長さに切断する卓上型のテープカッターであって、図２に示すように、ホルダ部材１０と、リール２０と、他端取付部材３０と、軸部材４０によって構成される。軸部材４０と他端取付部材３０とは、カバー部材５０によって、容易に外れないように固定されている。
【００２３】
ホルダ部材１０は、長方形状の平面からなる正面部１１と、正面部の一側に設けられた側面部１２によって、断面略L字状に形成される。  
この正面部１１の裏面には、軸部材４０の一端を着脱可能に取り付けるための一端取付部１３ａ，１３ｂが上下２箇所に設けられている。
【００２４】
上方に設けられた第１の取付部１３ａは、後述する側面部１２の上端に設けられた第１の切断部１４ａを使用してテープを切断する場合に、リール２０が支持される部位であり、下方に設けられた第２の取付部１３ｂは、側面部１２の下端部に設けられた第２の切断部１４ｂを使用してテープを切断する場合に、リール２０が支持される部位である。
【００２５】
ホルダ部材１０の上端部から第1の取付部１３ａまでの長さＭ１と、下端部から第２の取付部１３ｂまでの長さＭ２は同一であり、後述する他端取付部材３０の脚部３１の長さにあわせて設計されている。
正面部１１の一側には、テーパ部１５を介し、直交方向に板面が延びる側面部１２が連続形成されている。この側面部１２の上端部と下端部には、切断部１４ａ，１４ｂが設けられる。
【００２６】
上端部に設けられた第１の切断部１４ａには、切断刃が刃先を上方に向けた状態で取り付けられている。下端部に設けられた第２の切断部１４ｂには、ゴム等の弾性部材からなる台座部材が取り付けられている。この切断刃と弾性部材は着脱可能となっており、相互に取り換えて装着することができる。
正面部１１の第１の取付部１３ａに、軸部材４０の一端部を挿入することによって、軸部材４０がホルダ本体１０に取り付けられる。そして、第２の取付部１３ｂに、後述する他端取付部材３０の嵌合部３３が取り付けられる。
【００２７】
以下、ホルダ部材１０の正面部１１の構造を説明する。
ホルダ本体１０の正面部１１には化粧板が貼り付けられており、その化粧板を外すと、図３に示すように、上下２箇所に開口部（１３ａ、１３ｂ）を有する平面１１ａが表れる。この円形の開口部のうち上方の開口部が、側面部１２の上端部に設けられた切断部１４ａ を使用してテープを切断する場合において、軸部材４０が取り付けられる第１の取付部１３ａであり、下方の開口部（１３ｂ）が、他端取付部材が取り付けられる第２の取付部１３ｂである。
【００２８】
夫々の取付部１３ａ、１３ｂの開口縁部には、円弧状の片１６が複数箇所に設けられている。この円弧片１６は、軸部材４０が取り付けられることによって後述する第１の摺動路６０ａを形成し、他端取付部材３０が取り付けられることによって後述する第２の摺動路６０ｂを形成するための突出部である。
【００２９】
次に、リール２０について説明する。このリール２０の外周面には、規格サイズの接着テープがしっかり装着できるようにリブ２２が形成されている。
リール２０の内径は、後述する軸部材４０の軸径よりも大きく設計されており、他端取付部材３０に対して回転可能に環装されるようなっている。
【００３０】
次に、ホルダ部材１０の第２の取付部１３ｂに取り付けられる他端取付部材３０について説明する。
他端取付部材３０は、脚部３１と、後述する軸部材４０の他端が取り付けられる他端取付部３２と、この他端取付部材３０をホルダ本体１０に固定するための嵌合部３３とを含んで構成される。
【００３１】
脚部３１は、この他端取付部材３０が軸部材４０を介してホルダ部材１０に組み付けられた際に、リール２０の水平状態が維持されるような長さに設計されている。そして、脚部３１の中間部から下方にかけて部位には、脚部３１に対して直角方向に基部３４が延びている。この基部３４の先端に円盤状の嵌合部３３が設けられており、ホルダ部材１０の第２の取付部１３ｂに差し込まれることによって、他端取付部材３０がホルダ部材１０に組み付けられる。
【００３２】
嵌合部３３の盤面は、基部３４の延びる方向に対して直交する平面上（即ち、脚部３１と平行な平面上）に位置しており、ホルダ本体１０に他端取付部材３０が取り付けられた際に、正面部１１と平行な平面をなすようになっている。
嵌合部３３の盤面からは円弧状の突起部３５が、盤面の複数箇所に設けられた突出部３６を介して設けられている。この突起部３５は、他端取付部材３０をホルダ本体１０に取り付けた際に、図３に示すように、摺動路６０ｂに沿って移動し、突出部３６が円弧片１６の側部に当接することで、円弧片１６と係合するような位置及び形状に形成されている。この際、突起部３５と円弧片１６との係合状態を確実にするために、適宜、凹凸が施されている。
【００３３】
脚部３１の下端から他端取付部材３０までの高さＭ３は、また、ホルダ部材１０の前記正面部１１の上端部から第１の取付部までの長さＭ１、及び下端部から第２の取付部までの長さＭ２と、同一に設定されている。
脚部３１の上端には、扇形状の取付部３２が形成されている。この取付部３２は、後述する軸部材４０の切欠部４１の形状と同一形状をなしている。
【００３４】
この他端取付部３２の扇形の中心部から嵌合部３３までの長さＮ１は、第１の取付部１３ａと第２の取付部１３ｂとの間の長さＮ２に対応している（図３参照）。
次に、軸部材４０の構成を説明する。この軸部材４０は、リール２０が回転可能に取り付けられる部材であり、一端に、ホルダ部材１０の第１の取付部１３ａに嵌合可能な一端嵌合部４２が設けられ、他端に、リール２０の抜け止めを可能とするフランジ部４３を設けたものである。
【００３５】
この軸部材４０の軸径は、リール２０の内径よりも小さく、フランジ部４３の外径は、リール２０の内径よりも大きく設定されている。
軸部材４０の一端嵌合部４２は、他端取付部材３０の嵌合部３３と同様に構成されている。即ち、盤面からは円弧状の突起部４５が、盤面の複数箇所に設けられた突出部４６を介して設けられており、この突起部４５は、軸部材４０をホルダ本体１０に取り付けた際に、図３に示すように、摺動路６０ａに沿って移動し、突出部４６が円弧片１６の一側部に当接することで、円弧片１６と係合するような位置及び形状に設計されている。この際、突起部４５と円弧片１６との係合状態を確実にするために、適宜、凹凸が施されている。
【００３６】
フランジ部４３には、他端取付部材３０の取付部３１に嵌合可能な切欠部４１が設けられている。
この切欠部４１と取付部３１の形状は、他端取付部材３０の脚部３１の突起部３５が、ホルダ部材１０の第２の取付部１３bの摺動路６０ｂを移動することによって他端取付部材３０がＡ方向に回転し（図４参照）、これによって、他端取付部材３０の取付部３１と軸部材４０の切欠部４１との嵌合が外れるように、ホルダ部材１０の第１及び第２の取付部１３ａ、１３ｂにおける円弧片１６や、他端取付部材３０の円弧状の突起部３５の円弧形状に対応させて、設計されている。
【００３７】
このフランジ部４３の切欠部４１に、他端取付部材３０の取付部３１が嵌合し、その上から、カバー部材５０が装着されることによって、テープカッター１が形成される。
このように構成することで、図５に示すように、第１の取付部１３ａに軸部材４０の一端嵌合部４２が取り付けられ、第２の取付部１３ｂに他端取付部材３０の嵌合部３３が取り付けらることによって、テープカッター１を強固な構成とすることができる。
上記構成のテープカッター１の使用状態を説明する。
【００３８】
使用者が右利きの場合は、図１に示すように、ホルダ部材１０の正面部１１に対して向かって右側に側面部１２が位置するように、卓上に設置されるが、この際、平面状の正面部１１が使用者側に位置しているので、接着テープが目に付きにくくなる。ホルダ部材１０の正面部１１に装飾性の高い化粧板を貼り付けることによって、あたかもインテリアの一部のように、テープカッター１を卓上に配置することができる。
【００３９】
接着テープを使用する場合は、ボルダ部材１０の裏面側からテープを繰り出して切断することができる。
これによって、軸部材４０を支持する取付部１３ａ、１３ｂと切断部１４ａ，１４ｂとの間に、テープを繰り出す際に指を差し入れるための空間部を正面部１１に設ける必要がなくなるので、テープの接着面に埃等が付着する機会を低減できる。
【００４０】
店舗等にテープカッター１を配置する場合は、正面部１１がカウンターの外側（即ち、客側）に向き、裏面がカウンターの内側（即ち、店員側）に向くように配置されるが、この場合は、第２の切断部１４ｂに切断刃を取り付け、第１の切断部１４ａに台座部材を取り付ける。
この際の組み換え状態を、図４及び図６を参照して説明する。
【００４１】
図４及び図６は、ホルダ部材１０を背面から見た状態を示すものであり、上下反転させた際、店舗内の使用者に向かって左側に切断部１４ａが位置する状態から、右側に位置する状態に組み換える状態を示すものである。
先ず、図４（ａ）に示すように、切欠部４１と他端取付部３２とが嵌合された状態で、他端取付部材３０の脚部３１を、嵌合部３３を中心としてＡ方向に回転する。
【００４２】
すると、他端取付部材３０の嵌合部３３の円弧状の突起部３５が摺動路６０ｂに沿って移動して円弧片１６との係合状態が外れ（図３参照），図４（ｂ）及び図６（ａ）に示すように、切欠部４１と他端取付部３２の嵌合が外れる。
そして、図６（ｂ）及び図４（ｃ）に示すように、軸部材４０を同じ回転方向Ａ’に回転させることによって、軸部材４０の嵌合部４２とホルダ部材１０の第１の取付部１３ａとの嵌合も外れる。
【００４３】
その後、図６（ｃ）に示すように、軸部材４０をホルダ部材１０から取り外し、軸部材４０を第２の取付部１３ｂに上述とは逆の手順で取り付ける。
このように、他端取付部材３０の脚部３１をＡ方向に回動させるための操作によって、ホルダ部材１０から他端取付部材３０を取り外し、軸部材４０を取り外し可能な状態にし、さらに、軸部材４０を同じ方向Ａ’に回転することによって、軸部材４０をホルダ部材１０から取り外せるようにできるので、簡単な操作によって、上下反転させても同様の状態で使用可能なテープカッター１を構成できる。
【００４４】
このように、上下反転させることによって、カウンターの内側で使用する店員にとっては使い易く、カウンターの外側にいる客にとっては、あたかも置物であるかのように見えるテープカッター１とすることができる。この際、上下反転させた使用が可能なように、容易に組みかえることができるので、様々な場面で、最適な状態にてテープカッターを使用することができる。
【００４５】
なお、本実施形態に係るテープカッターは、ロール状に巻回されたテープが装着されるリール２０と、リール２０が回転可能に取り付けられる軸部材４０と、正面部１１に軸部材４０の一端が取り付けられる一端取付部１３ａを有するホルダ部材と、軸部材４０の他端が取り付けられる他端取付部材３０と、を有するテープカッターであって、正面部の一側に上下２つの切断部１４ａ，１４ｂを設け、軸部材４０の一端に一端嵌合部４２を設け、軸部材４０の他端に、リール２０の抜け止めを可能とするフランジ部４３を設けると共に、フランジ部４３に、他端取付部３２と嵌合可能な切欠部４１を設ける態様を備えておればよく、例えば、一端取付部１３ａを一つの開口のみで構成してもよいし、他端取付部材３０の脚部３１においてホルダ部材１０に組み付けていなくても良い。
【００４６】
また、ホルダ部材１０の正面部１１の上端部から第１の取付部１３ａまでの長さと、下端部から第２の取付部１３ｂまでの長さを、同一にしなくてもよい。なお、この場合は、夫々の長さに対応するような２種類の他端取付部材３０が必要となる。
【００４７】
また、前記第１及び第２の取付部１３ａ，１３ｂは、それぞれの部材４０、３０と嵌合されるような構成であればよく、円弧状の摺動路に限定される必要はない。
さらに、脚部３１の突起部３５が摺動路６０ｂを移動することによって他端取付部材３０が回転し、他端取付部３２と軸部材４０の切欠部４１との嵌合が外れるような形状に設計されていていなくともよい。
また、双方の切断部１４ａ，１４ｂに脱着不可能に切断刃を取り付けてもよい。
【００４８】
次に、発明の第２実施形態に係るテープカッター１０１を、図７〜図１１を参照して説明する。
このテープカッター１０１は、リール１２０の回転軸１２１の一端を支承する一端軸受部１１３ａ，１１３ｂが形成された正面部１１１の一側に、該正面部１１１に対して直交する方向に板面が延びる側面部１１２を設けて断面略L字状のホルダ部材１１０を構成し、前記側面部１１２の上端部と下端部とに切断部１１４ａを設けてテープカッター１０１を構成したものである。
以下、本実施形態のテープカッター１０１の構成を詳述する。
【００４９】
図７は、本発明の実施形態に係るテープカッター１０１を示す斜視図である。このテープカッター１０１は、ロール状に巻回された接着テープを回転可能に支持すると共に、繰り出された接着テープを所望の長さに切断する卓上型のテープカッターであって、図８に示すように、ホルダ部材１１０と、リール１２０と、他端軸受部材１３０によって構成される。
【００５０】
ホルダ部材１１０は、長方形状の平面からなる正面部１１１と、正面部１１１に対して直交する方向に板面が延びる側面部１１２によって、断面L字状に形成される。  
この正面部１１１の裏面には、リール１２０の回転軸の一端を支承するための軸受１１３ａ，１１３ｂが上下２箇所に設けられている。
上方に設けられた第１の軸受１１３ａは、後述する側面部１１２の上端に設けられた第１の切断部１１４ａを使用してテープを切断する場合に、リール１２０が支承される部位であり、下方に設けられた第２の軸受１１３ｂは、側面部１１２の下端部に設けられた第２の切断部１１４ｂを使用してテープを切断する場合に、リール１２０が支承される部位である。
【００５１】
ホルダ部材１１０の上端部から第1の軸受１１３ａまでの長さＭ１と、下端部から第２の軸受１１３ｂまでの長さＭ２は同一であり、後述する他端軸受部材１３０の脚部１３１の長さにあわせて設計されている。
正面部１１１の一側には、テーパ部１１５を介し、直交方向に板面が延びる側面部１１２が連続形成されている。この側面部１１２の上端部と下端部には、切断部１１４ａ，１１４ｂが設けられる。
【００５２】
上端部に設けられた第１の切断部１１４ａには、切断刃が刃先を上方に向けた状態で取り付けられている。下端部に設けられた第２の切断部１１４ｂには、ゴム等の弾性部材からなる台座部材が取り付けられている。この切断刃と弾性部材は着脱可能となっており、相互に取り換えて装着することができる。
正面部１１１の第１の軸受１１３ａに、リール１２０の回転軸１２１の一端部を挿入することによって、図９に示すように、リール１２０がホルダ本体１１０に回転可能に支承される。
【００５３】
リール１２０は、図８に示すように、規格サイズの接着テープが装着可能なリール部１２２を有し、何れの軸受１１３ａ，１１３ｂにも支承可能な軸径の回転軸１２１によって回転される。
リール１２０の回転軸１２１の他端部を、他端軸受部材１３０の内側に設けられた軸受１３２に支承させることによって、図７に示す状態に、組み付けることができる。
【００５４】
この他端軸受部材１３０には、図８に示すように、脚部１３１が設けられている。
脚部１３１は、他端軸受部材１３０がリール１２０を介してホルダ部材１１０に組み付けられた際に、リール１２０の水平状態が維持されるような長さに設計されている。そして、脚部１３１の下寄りの部位には、内側に向けて突出する突起部１３３が形成されており、その突起部１３３が、ホルダ部材１１０の第２の軸受１１３ｂに差し込まれることによって、他端軸受部材１３０がホルダ部材１１０に組み付けられる。
【００５５】
上記構成のテープカッター１０１の使用状態を説明する。
使用者が右利きの場合は、図７に示すように、ホルダ部材１１０の正面部１１１に対して向かって右側に側面部１１２が位置するように、卓上に設置されるが、この際、平面状の正面部１１１が使用者側に位置しているので、接着テープが目に付きにくくなる。ホルダ部材１１０の正面部１１１を装飾性の高いデザインにすることによって、あたかもインテリアの一部のように、テープカッター１０１を卓上に配置することができる。
【００５６】
接着テープを使用する場合は、ボルダ部材１１０の裏面側からテープを繰り出して切断することができる。
これによって、リール１２０を支承する軸受部１１３ａ、１１３ｂと切断部１１４ａ，１１４ｂとの間に、テープを繰り出す際に指を差し入れるための空間部を正面側に設ける必要がなくなるので、テープの接着面に埃等が付着する機会を低減できる。
【００５７】
店舗等にテープカッター１０１を配置する場合は、正面部１１１がカウンターの外側（即ち、客側）に向き、裏面がカウンターの内側（即ち、店員側）に向くように配置されるが、この場合は、図１０に示すように、第２の切断部１１４ｂに切断刃を取り付け、第１の切断部１１４ａに台座部材を取り付ける。
これによって、カウンターの内側Ｂで使用する店員にとっては使い易く、カウンターの外側にいる客にとっては、あたかも置物であるかのように見えるテープカッター１０１とすることができる。
【００５８】
なお、本実施形態に係るテープカッター１０１は、図１１に示すように、断面略L字状のホルダ部材１１０の正面部１１１に、リール１２０の回転軸の一端を支承する一端軸受部を１箇所に形成し、側面部１１２の上端部と下端部とに第１及び第２の切断部１１４ａ，１１４bを設けたのみの構成としてもよい。
【産業上の利用可能性】
【００５９】
本発明は、事務用のテープカッターのみではなく、荷役又は製造に使用されるテープを繰り出して切断するカッターホルダーに適用することもできる。
【図面の簡単な説明】
【００６０】
【図１】本発明の第１実施形態に係るテープカッターを示す斜視図である。
【図２】上記テープカッターを分解した状態を示す斜視図である。
【図３】上記テープカッターの正面部の化粧板を外した状態を示す正面図である。
【図４】上記テープカッターの軸部材の組み替え状態を示す背面図であり、（ａ）は初期状態、（ｂ）は他端取付部材を取り外した状態、（ｃ）は軸部材を取り外そうとする状態を示す。
【図５】第１及び第２の取付部の部位で切断した縦断面図である。
【図６】上記テープカッターの軸部材の組み替え状態を示す斜視図であり、（ａ）は他端取付部材を取り外した状態、（ｂ）は軸部材を取り外そうとする状態、（ｃ）は軸部材を取り外した状態を示す。
【図７】本発明の第２実施形態に係るテープカッターを示す斜視図である。
【図８】上記テープカッターを構成部材毎に分解した状態を示す斜視図である。
【図９】上記テープカッターを組み付ける状態を示す斜視図である。
【図１０】上下を倒置させて使用する状態を示す斜視図である。
【図１１】本実施形態の変形例を示す斜視図である。
【符号の説明】
【００６１】
１、１０１・・・テープカッター
１０、１１０・・・ホルダ部材
１１、１１１・・・正面部
１２、１１２・・・側面部
１３ａ、１１３ａ・・・第１の取付部（一端取付部）
１３ｂ，１１３ｂ・・・第２の取付部（一端取付部）
１４ａ、１１４ａ・・・第１の切断部
１４ｂ，１１４ｂ・・・第２の切断部
１５、１１５・・・テーパ部
２０、１２０・・・リール
２２・・・リブ
１２１・・・回転軸
１２２・・・リール部
３０、１３０・・・他端取付部材
３１、１３１・・・脚部
３２、１３２・・・取付部
３３・・・嵌合部
３４・・・基部
３５・・・突起部
３６・・・突出部
１３３・・・突起部
４０・・・軸部材
４１・・・切欠部
４２・・・一端嵌合部
４３・・・フランジ部
４５・・・突起部
４６・・・突出部
５０・・・カバー部材
【図１】
0005025352.tif 000002
【図２】
0005025352.tif 000003
【図３】
0005025352.tif 000004
【図４】
0005025352.tif 000005
【図５】
0005025352.tif 000006
【図６】
0005025352.tif 000007
【図７】
0005025352.tif 000008
【図８】
0005025352.tif 000009
【図９】
0005025352.tif 000010
【図１０】
0005025352.tif 000011
【図１１】
0005025352.tif 000012